(57)【特許請求の範囲】
【請求項１】
床面から立設した一対の支柱と、前記一対の支柱間の下部同士を連結する下部連結部材と、前記下部連結部材に支持されるパネル材と、前記下部連結部材と床面との間に配設され該下部連結部材の高さ位置を調整する一対の高さ調整機構と、を備えた間仕切パネル装置であって、
前記高さ調整機構は、対向する他方側の高さ調節機構に向けて張り出し、前記下部連結部材を載置可能な載置部材を下部に有する略Ｌ字形状部材を備え、
前記下部連結部材は、断面視下向きコ字状を成し、前記載置部材を跨いで配置されており、該下部連結部材に前記パネル材が支持されていることを特徴とする間仕切パネル装置。
【請求項２】
前記下部連結部材の下端部には、前記パネル材を支持する支持部が、該下部連結部材の幅方向に延びるように設けられていることを特徴とする請求項１に記載の間仕切パネル装置。
【請求項３】
前記下部連結部材には、少なくとも１つの開口部が形成されており、前記開口部内には、前記パネル材から係止片が延出していることを特徴とする請求項１または２に記載の間仕切パネル装置。
【請求項４】
上下方向に延びる壁部を備えるベース部材が床面に敷設されており、前記ベース部材に前記下部連結部材が冠入されていることを特徴とする請求項１ないし３のいずれかに記載の間仕切パネル装置。
【請求項５】
前記開口部の周辺には、高さ方向の強度を補強する補強部材が設けられていることを特徴とする請求項１ないし４のいずれかに記載の間仕切パネル装置。
【発明の詳細な説明】
【技術分野】
【０００１】
本発明は、建物内の部屋や空間を仕切る間仕切パネル装置に関する。
【背景技術】
【０００２】
複数の機能性に富んだ独立性の高い執務区画を設ける場合、部屋の床面に間仕切パネル装置を複数立設して建物内の部屋や空間を仕切り、複数の区画に分割している。このような間仕切パネル装置は、床面から立設する一対の支柱と、該支柱間に架設される複数の連結部材と、連結部材間に取付けられる複数のパネル材を備えた構造となっている。特に近年では、内部に配管や配線等を通し、パネル材に配管や配線等の取出口を設け、パネル材の表面側から前記取出口を利用できるようにした多機能の間仕切パネル装置が利用されている。
【０００３】
このような間仕切パネル装置の一例として、例えば、特許文献１に示されるようなものがある。この間仕切パネル装置は、支柱同士の下部を連結する下部連結部材を備え、この下部連結部材にパネル材が取付けられている。この下部連結部材と床面との間には、高さ調整機構が設けられており、高さ調整機構により床面の起伏に合わせて微調整して下部連結部材を水平に設置できるようになっている。また、下部連結部材は、断面視上向きコ字状を成し、高さ調整機構の上方に配設されており、下部連結部材にパネル材を支持させて取付けるとともに、該下部連結部材の前後に立設する係止片の上端にパネル材を係止させることによりガタつきを抑えている。
【先行技術文献】
【特許文献】
【０００４】
【特許文献１】特開２００９−２８７１７３号公報（第６頁、第４図）
【発明の概要】
【発明が解決しようとする課題】
【０００５】
しかしながら、特許文献１の間仕切り装置にあっては、下部連結部材の係止片が高さ調整機構の上方に立ち上がった構造であるため、係止片と重合するパネル材下端の裏面側を利用することができなかった。例えば配線や配管等を内部に設ける場合には、係止片を避けたパネル材の高い位置に内部から導通した配管や配線等の取出口を設けなければならず、パネル材における下端側となる高さ調整機構の近傍位置に設けることができなかった。
【０００６】
本発明は、このような問題点に着目してなされたもので、パネル材の裏面側を広く利用することができる間仕切パネル装置を提供することを目的とする。
【課題を解決するための手段】
【０００７】
前記課題を解決するために、本発明の間仕切パネル装置は、
床面から立設した一対の支柱と、前記一対の支柱間の下部同士を連結する下部連結部材と、前記下部連結部材に支持されるパネル材と、前記下部連結部材と床面との間に配設され該下部連結部材の高さ位置を調整する一対の高さ調整機構と、を備えた間仕切パネル装置であって、
前記高さ調整機構は、対向する他方側の高さ調節機構に向けて張り出し、前記下部連結部材を載置可能な載置部材を下部に有する略Ｌ字形状部材を備え、
前記下部連結部材は、断面視下向きコ字状を成し、前記載置部材を跨いで配置されており、該下部連結部材に前記パネル材が支持されていることを特徴としている。
この特徴によれば、下向きコ字状の下部連結部材が高さ調整機構を跨いでいることにより、下部連結部材の上端部の位置を高さ調整機構に接近させることができるため、パネル材の裏面側を広く利用することができ、例えば配線や配管等を内部に設ける場合には配線や配管等の取出口を設置可能な領域を床面に近い位置まで広げることができる。
【０００８】
前記下部連結部材の下端部には、前記パネル材を支持する支持部が、該下部連結部材の幅方向に延びるように設けられていることを特徴としている。
この特徴によれば、支持部によりパネル材を高さ調整機構の上端よりも低い位置に配設することができるため、パネル材と床面との間が小さくなり、見栄えが向上する。
【０００９】
前記下部連結部材には、少なくとも１つの開口部が形成されており、前記開口部内には、前記パネル材から係止片が延出していることを特徴としている。
この特徴によれば、パネル材が下部連結部材に支持されているとともに、開口部内にパネル材から係止片が延びているので、パネル材が下部連結部材の幅方向に移動することが防止される。
【００１０】
上下方向に延びる壁部を備えるベース部材が床面に敷設されており、前記ベース部材に前記下部連結部材が冠入されていることを特徴としている。
この特徴によれば、ベース部材の壁部が、下部連結部材における幅方向の両側片の内側に配設されるため、両側片が近接する方向への下部連結部材の強度が補強される。
【００１１】
前記開口部の周辺には、高さ方向の強度を補強する補強部材が設けられていることを特徴としている。
この特徴によれば、補強部材により開口部の周辺の上下方向の強度を補強することができる。
【図面の簡単な説明】
【００１２】
【図１】実施例におけるレイアウトされた複数の間仕切パネル装置を示す斜視図である。
【図２】間仕切パネル装置の構造を示す分解斜視図である。
【図３】図２の囲み部Ａを拡大した要部拡大図である。
【図４】間仕切パネル装置の下方の構造を示す側断面図である。
【図５】間仕切パネル装置の鉛直断面を背面側から見た図である。
【発明を実施するための形態】
【００１３】
本発明に係る間仕切パネル装置を実施するための形態を実施例に基づいて以下に説明する。
【実施例】
【００１４】
実施例に係る間仕切パネル装置につき、図１から図５を参照して説明する。以下、図４の画面右側を間仕切パネル装置（末端部を含む間仕切パネル装置）の正面側（前方側）とし、図４の画面左側を間仕切パネル装置の背面側（後方側）として説明する。また、間仕切パネル装置の正面側から見て左右を該間仕切パネル装置の左右として説明する。
【００１５】
図１に示されるように、間仕切パネル装置１は、建物内の部屋や空間を仕切り、複数の機能性に富んだ独立性の高い執務区画を設けるためのものであり、複数の間仕切パネル装置１，１’，…を、所定の方向に連設し、所望の区画レイアウトに合わせて空間を仕切っている。本実施例では、間仕切パネル装置１，１’，…を用いて医療用のブースを区画した態様について説明する。尚、間仕切パネル装置１，１’，…の構成は、ほぼ同一であることから、図１の画面左側の末端部を備えた間仕切パネル装置１を例に取り説明し、他の間仕切パネル装置１，１’，…の説明を省略する。
【００１６】
このような間仕切パネル装置１は、内部に医療ガス用の配管Ｐ，Ｐ，…（図４参照）が導通されており、パネル材８，８に設けられた医療ガスの取出口であるアウトレット１１，１１が設けられている。このようにアウトレット１１，１１が上下に設けられることにより、患者が座った状態または横になった状態でも医療ガスを取り出せるようになっている。尚、間仕切パネル装置１の内部に導通されるものは、配管Ｐ，Ｐ，…のみに限らず、例えば電源用の配線等であってもよく、この場合、パネル材８，８には、電源取り出し用のアウトレットが設けられる。
【００１７】
図２に示されるように、間仕切パネル装置１は、床面に左右方向に延びて敷設されるベース部材５と、ベース部材５上の左右に離間して立設される支柱２，２と、支柱２，２間の上端及び中間を連結する連結部材３，３と、支柱２，２間の下部同士を連結する下部連結部材４と、下部連結部材４とベース部材５との間に配設される高さ調整機構６，６と、下部連結部材４及び連結部材３，３間の前後に取付けられる複数のパネル材８，８，…と、から主に構成されている。
【００１８】
尚、間仕切パネル装置１の上部には、上方から内部構造が露見しないようにするための装飾部材９０が取り付けられており、装飾部材９０の上面に合成樹脂素材等から形成される半透明板９１を立設することにより、間仕切パネル装置１で構成された区画内への外部からの視線を遮ることができる。
【００１９】
また、図１に示されるように、間仕切パネル装置１の末端部には、エンドカバー９２が設けられており、末端に配置される支柱２が外部から露見することを防止できる。また、間仕切パネル装置１と間仕切パネル装置１’とのＬ字型連結部は、図示しないコーナーカバーが配設されており、このコーナーカバーにより間仕切パネル装置１と間仕切パネル装置１’とが連結されている。また、エンドカバー９２及び前記コーナーカバーの上部には、キャップ部材９３，９４が取付けられており、上方から内部構造が露見しないようになっている。
【００２０】
図２に示されるように、支柱２，２は、断面視略Ｃ字形状を成しており、軽量な構造となっている。また、連結部材３，３は、その前後中間部に上下に連通する連通部３ａ，３ａをそれぞれ備えており、この連通部３ａ，３ａには、前述した配管Ｐ，Ｐ，…や配線等を挿通することができるようになっている。
【００２１】
図２ないし図４に示されるように、ベース部材５は、床面に接する底部５ａと、底部５ａの前後（幅方向）から上方向に延びる上向片５ｂ，５ｂ（壁部）と、を備え、断面視上向き略コ字状を成しており、底部５ａの所定の位置で床面に対してビス１２，１２，…（図４にて１つのみ図示）により固定されている。また、底部５ａの前後中央に上方に突起する凸条部５ｃを有している。
【００２２】
図２及び図５に示されるように、高さ調整機構６，６は、ベース部材５の左右両端の上部に配設されている。尚、高さ調整機構６，６は、同一構成であるため、片側の高さ調整機構６のみ説明し、他方側の高さ調整機構６の説明を省略する。
【００２３】
図３及び図５に示されるように、高さ調整機構６は、ベース部材５の上向片５ｂ，５ｂ間に配される基部材６ｃと、その基部材６ｃに固定され上下に延びるボルト６ｄと、ボルト６ｄに螺合するナット６ｅと、ナット６ｅの上部に配され下部連結部材４を載置可能な載置部材６ａと、載置部材６ａ上に載置され支柱２の下端部に挿入可能な嵌挿部材６ｂと、を備えている。基部材６ｃは、ベース部材５の凸条部５ｃにビスにより固定されている。
【００２４】
また、ナット６ｅは、緩締することによりボルト６ｄに沿って上下に移動するようになっており、このナット６ｅの上下動により、下部連結部材４及び支柱２の高さ位置を調整できるようになっているため、床面に起伏がある場合であっても下部連結部材４を水平に設置することができる。
【００２５】
また、載置部材６ａは、ボルト６ｄよりも大径の孔が形成されており、この孔にボルト６ｄが遊挿されているため、前記高さ調節時において、載置部材６ａがボルト６ｄに案内されながらスムーズに上下動できるようになっている。また、載置部材６ａは、他方側の高さ調整機構６に向けて張り出しており、その張り出し部分に下部連結部材４を載置できるようになっている。また、載置部材６ａは、嵌挿部材６ｂ及び支柱２が上方に載置されているため、嵌挿部材６ｂ及び支柱２の重量により前記張り出した部分が水平に保たれる。
【００２６】
また、嵌挿部材６ｂは、前後に開口部を対向させて配置されるコ字状部材６１ｂ，６１ｂと、コ字状部材６１ｂ，６１ｂを繋ぐ連結板材６２ｂと、を備えている。連結板材６２ｂには、ボルト６ｄよりも大径の孔が形成されており、この孔にボルト６ｄが遊挿されることで、前記高さ調節時において、嵌挿部材６ｂがボルト６ｄに案内されながらスムーズに上下動できるようになっている。
【００２７】
図２ないし図５に示されるように、下部連結部材４は、高さ調整機構６，６に渡って延びる上板部４ａと、上板部４ａの前後両端から左右方向（長手方向）に沿って下方向に延びる下向片４ｂ，４ｂ（側片）と、下向片４ｂ，４ｂの下端部から前後方向の外側に水平に延びる支持部４ｃ，４ｃと、を備えたハット形状を成している。また、下部連結部材４は、左右方向に所定間隔空けて開口部４ｄ，４ｄ，４ｄが設けられており、この開口部４ｄは、上板部４ａから下向片４ｂ，４ｂの上端にかけて切り欠かれて形成されている。尚、この下部連結部材４は、押出形成で製造されてもよいし、折曲形成により製造されてもよい。
【００２８】
上板部４ａの左右両端部は、高さ調整機構６における載置部材６ａ，６ａ上に載置されビスにより固定されるようになっており、載置部材６ａ，６ａの前後に下向片４ｂ，４ｂが配置されるようになっている。すなわち、載置部材６ａ，６ａを跨乗するように下部連結部材４が取付けられている。このように、下部連結部材４が載置部材６ａ，６ａを跨乗するように取付けられており、下部連結部材４が載置部材６ａ，６ａよりも上方に突出しないため、アウトレット１１を床面に近い位置（高さ調整機構６，６の直上位置）に設置することができる（特に図４参照）。
【００２９】
また、下部連結部材４は、ベース部材５に冠入されており、下部連結部材４の下向片４ｂ，４ｂの内側には、ベース部材５の上向片５ｂ，５ｂが配設されるようになっている。そのため、下向片４ｂ，４ｂが互いに近接する方向への移動が上向片５ｂ，５ｂにより規制され、下部連結部材４の強度が補強される。また、下部連結部材４の下向片４ｂ，４ｂとベース部材５の上向片５ｂ，５ｂとは、当接するようになっているため、下部連結部材４とベース部材５とを組み立てる際には、上向片５ｂ，５ｂにより下向片４ｂ，４ｂが案内され、組み立て作業が簡便であるとともに、下部連結部材４の高さ調整時には、上向片５ｂ，５ｂに沿って下向片４ｂ，４ｂが摺動され、水平状態を保ったまま下部連結部材４を上下に移動させることができる。尚、下部連結部材４の下向片４ｂ，４ｂとベース部材５の上向片５ｂ，５ｂとは、必ずしも当接することに限らず、前後に間隔が形成されていてもよい。
【００３０】
また、図４に示されるように、下部連結部材４の支持部４ｃ，４ｃは、前後のパネル材８，８の下端部８ａ，８ａが載置され、パネル材８，８の重量を支持している。これによれば、支持部４ｃ，４ｃによりパネル材８，８を高さ調整機構６，６の載置部材６ａ，６ａよりも低い位置に配設することができるため、パネル材８，８と床面との間が小さくなり、見栄えが向上する。また、前述のように、高さ調整機構６，６から下部連結部材４が上方に突出しないため、支持部４ｃ，４ｃに対してパネル材８，８を載置し易くなっている。さらに、支柱２，２に直接接続されない下部連結部材４でパネル材８，８を支持しているため、支柱２，２に掛かる負荷を少なくできる。尚、該パネル材８，８の上端部は、前述した中間の連結部材３の下面に設けられた図示しない板バネ部材に挟持されることで中間の連結部材３に固定される。
【００３１】
また、前面側のパネル材８，８は、下部に複数の下向き鉤状の係止片１０，１０，１０が所定間隔置きにそれぞれ設けられており、この係止片１０，１０，１０は、開口部４ｄ，４ｄ，４ｄ内に挿通されている。このように、パネル材８，８が下部連結部材４の支持部４ｃ，４ｃに支持されているとともに、開口部４ｄ，４ｄ，４ｄ内にパネル材８，８から係止片１０，１０，１０が延びているので、パネル材８，８に下部連結部材４の前後方向に離間するように力が作用しても、各係止片１０，１０，１０がベース部材５の上向片５ｂ，５ｂに係止され、パネル材８，８の下部連結部材４からの離脱が防止される。
【００３２】
尚、図示しないが、下部連結部材４が高さ調整機構６，６により上昇した際には、各係止片１０，１０，１０がベース部材５の上向片５ｂ，５ｂに当接しない場合があるが、その場合であっても、各係止片１０，１０，１０が下部連結部材４の下向片４ｂ，４ｂに係止されるため、パネル材８，８の下部連結部材４からの離脱が防止される。さらに、この場合、下部連結部材４の下向片４ｂ，４ｂの上端同士を繋ぐように上板部４ａが形成されているため、パネル材８，８が下部連結部材４の前後方向に離間するように倒れても、下向片４ｂ，４ｂの上端同士が互いに離間するように変形することが防止される。
【００３３】
さらに尚、本実施例では、各係止片１０，１０，１０がベース部材５の上向片５ｂ，５ｂに係止される態様について説明したが、係止片が板バネ状を成し、ベース部材５の上向片５ｂ，５ｂ及び下向片４ｂ，４ｂを挟持するようにして、前後にガタつくことなくパネル材８，８を係止させてもよい。この場合、係止片により下部連結部材４の下向片４ｂ，４ｂと、ベース部材５の上向片５ｂ，５ｂと、を挟持しているため、下向片４ｂ，４ｂ及び上向片５ｂ，５ｂの前後方向への強度が高い。
【００３４】
図２ないし図４に示されるように、下部連結部材４とベース部材５との間には、複数の補強部材７，７，…が設けられている。図３及び図４に示されるように、この補強部材７は、ベース部材５の上向片５ｂ，５ｂ間に配される基部材７ｃと、その基部材７ｃに固定される上下に延びるボルト７ｄと、ボルト７ｄに螺合するナット７ｅと、ナット７ｅの上部に配されるハット部材７ｂと、ハット部材７ｂ上に配され下部連結部材４の上板部４ａを載置可能な載置部材７ａと、を備えている。すなわち、載置部材７ａは、ナット７ｅを締緩することにより上下に移動可能となっている。
【００３５】
図５に示されるように、補強部材７，７，…は、開口部４ｄ，４ｄ，４ｄの周辺（開口部４ｄ，４ｄ，４ｄの左右近傍）に配設されている。図５の状態では、各基部材７ｃ，７ｃ，…は、ベース部材５の凸条部５ｃに固定されており、載置部材７ａは、下部連結部材４の上板部４ａを押し上げている。これによれば、パネル材８，８の重量を下部連結部材４介して補強部材７，７，…で支持できるため、パネル材８，８の重量により下部連結部材４が撓むことが防止される。
【００３６】
尚、前記実施例では、下部連結部材４が上板部４ａ、下向片４ｂ，４ｂ、及び支持部４ｃ，４ｃによりハット形状を成している態様について説明したが、これに限られず、下部連結部材は、上板部４ａと下向片４ｂ，４ｂとにより断面視略コ字形状を成していればよく、例えば、支持部は、該下部連結部材の上端位置に設けられていても構わない。また、開口部４ｄが設けられた下向片４ｂの上端を支持部とし、係止片１０が該下向片４ｂの上端に係止されることでパネル材８が支持されるようにしてもよい。
【００３７】
また、前記実施例では、下部連結部材４が高さ調整機構６，６を介して間接的に支柱２，２の下部を連結した態様について説明したが、これに限られず、下部連結部材４により支柱２，２の下部を直接連結し、下部連結部材４の下部にのみ高さ調整機構を設けるようにしてもよい。
【００３８】
また、本実施例では、下部連結部材４の開口部４ｄ，４ｄ，４ｄ及びパネル材８の係止片１０，１０，１０をそれぞれ３つずつ形成した態様について説明したが、これに限られず、開口部及び係止片の数量は自由に変更することができる。
【００３９】
また、開口部４ｄ，４ｄ，４ｄは、上板部４ａの前後に渡って切り欠かれて形成されていたが、上板部４ａの前後に対向する位置に部分的に開口部を設け、上板部４ａの切り欠かれる範囲を小さくして出来るだけ強度を落とさないようにしてもよい。さらに開口部は、下向片４ｂ，４ｂに設け、係止片１０，１０，１０を斜めから挿入するような態様であってもよい。
【００４０】
また、前記実施例では、補強部材７が高さ調整機能を有する態様について説明したが、例えば、高さの異なる剛性部材を複数種類用意し、高さ調整機構６，６により決定された下部連結部材４の所定高さと該当する高さの剛性部材を配設することにより、下部連結部材４の上下方向の強度を高めるようにしてもよい。
【００４１】
以上、本発明の実施例を図面により説明してきたが、具体的な構成はこれら実施例に限られるものではなく、本発明の要旨を逸脱しない範囲における変更や追加があっても本発明に含まれる。
【符号の説明】
【００４２】
１，１’          間仕切パネル装置
２，２            支柱
３                連結部材
４                下部連結部材
４ａ              上板部
４ｂ              下向片（側片）
４ｄ              開口部
４ｃ，４ｃ        支持部
５                ベース部材
５ｂ              上向片（壁部）
６                高さ調整機構
６ａ              載置部材
７                補強部材
８                パネル材
１０              係止片
１１              アウトレット（取出口）
Ｐ                配管
【図１】
0006577758.tif 000002
【図２】
0006577758.tif 000003
【図３】
0006577758.tif 000004
【図４】
0006577758.tif 000005
【図５】
0006577758.tif 000006